(57)【特許請求の範囲】
【請求項１】
表面に申込記入欄を設け、四辺に沿って開封用ミシン目を設けるとともに、これら開封用ミシン目の外側には折り部で折り重ねたときに対接する一方側に封緘用粘着剤を塗布してなる封書用シートと、この封書用シートのほぼ半分の大きさでその三辺が前記封書用シートの三辺に対応するようにして表面側に重なり合い、裏面に設けた剥離剤によって前記封書用シートの前記封緘用粘着剤に剥離可能に貼着し、前記封書用シートの折り部とは反対側の辺に沿って折り部を設け、この折り部からこの折り部側の一辺と対向する辺に達する一対の破断部を前記折り部と垂直に伸びる一対の辺に沿って設ける一方、表面には露出している前記封書用シートの申込記入欄に記入する際の記入例を表示し、裏面には被覆されている前記封書用シートの申込記入欄に記入する際の記入例を表示してなる記入例表示シートとからなることを特徴とする申込封書用シート。
【請求項２】
封書用シートと記入例表示シートの間に、表面に前記封書用シートの申込記入欄と上下に対応するよう同一の申込記入欄を設けた控え用シートを介在し、この控え用シートの申込記入欄に記入すると前記封書用シートの申込記入欄に複写記入するよう複写構造を設け、前記控え用シートを前記封書用シートと前記記入例表示シートに対してそれぞれ相対的に分離可能に構成したことを特徴とする請求項１記載の申込封書用シート。
【発明の詳細な説明】
【０００１】
【発明の属する技術分野】
本発明は、公共料金の預金口座振替申込など、各種の申込を行うために使用する申込封書を作成するための申込封書用シートに関する。
【０００２】
【従来の技術】
従来からこの種申込封書用シートは知られており、申込のために記入する事項の記入例を表示した記入例表示部を備えているのが一般的であるが、この記入例表示部は、申込封書用シートよりも小さな紙片の一面側のみに、すべての記入例を縮小して表示したものを、封書用シートのほぼ全面を占める申込書記入欄の一部に重ねて、一端側で綴じ合わせたり、封書用シートの前記申込書記入欄とは反対面の一部に印刷して構成している。
【０００３】
【発明が解決しようとする課題】
このため、従来においては、記入例表示部に表示された記入例の字が小さかったり、記入例が反対面側に表示されているので、これら記入例を見ながら申込書記入部に記入する作業がやりにくいという不都合がある。本発明は、このような従来の不都合を解消した申込封書用シートを提供することを目的とする。
【０００４】
【課題を解決するための手段】
この目的を達成するために、本願発明の請求項１に記載した申込封書用シートは、表面に申込記入欄を設け、四辺に沿って開封用ミシン目を設けるとともに、これら開封用ミシン目の外側には折り部で折り重ねたときに対接する部分の少なくとも一方側に封緘用粘着剤を塗布してなる封書用シートと、この封書用シートのほぼ半分の大きさでその三辺が前記封書用シートの三辺に対応するようにして表面側に重なり合い、裏面に設けた剥離剤によって前記封書用シートの前記封緘用粘着剤に剥離可能に貼着し、前記封書用シートの折り部とは反対側の辺に沿って折り部を設け、この折り部からこの折り部側の一辺と対向する辺に達する一対の破断部を前記折り部と垂直に伸びる一対の辺に沿って設ける一方、表面には露出している前記封書用シートの申込記入欄に記入する際の記入例を表示し、裏面には被覆されている前記封書用シートの申込記入欄に記入する際の記入例を表示してなる記入例表示シートとからなるものである。
【０００５】
また、本願発明の請求項２に記載した申込封書用シートは、上記請求項１の構成において、封書用シートと記入例表示シートの間に、表面に前記封書用シートの申込記入欄と上下に対応するよう同一の申込記入欄を設けた控え用シートを介在し、この控え用シートの申込記入欄に記入すると前記封書用シートの申込記入欄に複写記入するよう複写構造を設け、前記控え用シートを前記封書用シートと前記記入例表示シートに対してそれぞれ相対的に分離可能に構成したことを特徴とするものである。
【０００６】
【発明の実施の形態】
以下、本発明の好適な実施の形態を添付図面に基づいて詳細に説明する。ここにおいて、図１は申込封書用シートの平面図、図２はそのＡ−Ａ線断面図、図３は申込封書用シートの各シートを示す分解斜視図、図４は記入例表示シートを捲って折返した状態の平面図、図５は作成した申込封書を示す平面図である。
【０００７】
図１及び図２に示すように、申込封書用シート１は電話料金の預金口座振替を申し込むためのもので、四辺に沿って開封用ミシン目５を設けた封書用シート２と、一辺端を除いて前記開封用ミシン目５の内側に位置する大きさの控え用シート３と、前記封書用シート２のほぼ半分の大きさの記入例表示シート４とを、互いの一端側が揃うようにして下から順次重ね合わせてなる。図３で理解できるように、前記封書用シート２と前記控え用シート３の表面には、それぞれ二つ折りするための折り部６，７を挟んで、同一構成の申込記入欄たる契約情報記入欄８ａ，９ａと預金口座情報記入欄８ｂ，９ｂとを設けている。
【０００８】
同じく図３に示すように、封書用シート２の開封用ミシン目５は、前記折り部６で二つ折りしたときに重なり合うように、前記折り部６を軸として対称的になっている。そして、前記封書用シート２の表面における開封用ミシン目５の外側には、折り部６で折り重ねたときに対接する一方側に、封緘用粘着剤１０をコ字状に塗布してなる。また、前記封書用シート２の裏面には、後述する申込封書２５の送付先を示す宛先情報１１をあらかじめ印刷している（図５参照）。
【０００９】
図２及び図３で理解できるように、控え用シート３は、封着用シート２の表面側に重ねて、一辺側に切り用ミシン目１２を境に設けた拡幅部１３の裏面で前記封書用シート２の封緘用粘着剤１０に貼着している。前記切り用ミシン目１２は前記封書用シート２の開封用ミシン目５と対応位置している。また、前記拡幅部１３の表面には粘着剤１４を設けている。図１及び図４に示すように、この控え用シート３の表面には、表題１５と、依頼銀行名記入欄１６と、依頼年月日記入欄１７の下に、上述の契約情報記入欄９ａを設けている。この契約情報記入欄９ａは、振替依頼電話番号記入欄、電話契約者氏名記入欄、領収証届け先記入欄、連絡先記入欄からなる。一方、上述の預金口座情報記入欄９ｂは、預金者氏名記入欄、届け印捺印欄、指定口座記入欄からなる。
【００１０】
なお、封書用シート２の契約情報記入欄８ａ、預金口座情報記入欄８ｂについては詳細に図示してはいないが、上述の契約情報記入欄９ａ、預金口座情報記入欄９ｂと同一構成である。そして、控え用シート３の契約情報記入欄９ａ、預金口座情報記入欄９ｂに記入することによって、前記封書用シート２の契約情報記入欄８ａ、預金口座情報記入欄８ｂに複写記入するように、複写構造を設けている。この複写構造は、図２に示すように、前記控え用シート３の裏面に設けた染料を内包するマイクロカプセルを有するマイクロカプセル層１８と、前記封書用シート２の表面側に設けた染料を受容するクレー層１９とからなる。
【００１１】
記入例表示シート４は、図１及び図２に示すように、その三辺が封書用シート２の三辺に対応するよう位置し、一辺側に設けた折り部２０が控え用シート３の粘着剤１４塗布部分の内側に位置するように、前記控え用シート３の表面側に重ねて、折り部２０の外側に沿って裏面側に設けた剥離剤２１で前記控え用シート３の粘着剤１４に剥離可能に貼着している。そして、前記折り部２０から、この折り部２０側の一辺と対向する一辺に達するよう、前記折り部２０と垂直に伸びる一対の破断部たるカット部の長い一対のミシン目２２，２３を設けている。図示してはいないが、これら一対のミシン目２２，２３の外側に沿った裏面側にも剥離剤を設けており、これら剥離剤によって記入例表示シート４は、封書用シート２の封緘用粘着剤１０に対しても剥離可能に貼着している。
【００１２】
この記入例表示シート４の表面には、図１に示すように、露出している前記控え用シート３の契約情報記入欄９ａに記入する際の記入例である契約情報記入例表示２４ａを表示し、裏面には、図４に示すように、被覆されている預金口座情報記入欄９ｂに記入する際の記入例である預金口座情報記入例表示２４ｂを表示している。
【００１３】
本実施形態は以上のように構成したので、まず、図１及び図２状態において、控え用シート３の契約情報記入欄９ａに、記入例表示シート４の契約情報記入例表示２４ａを参照しながら記入する。この記入によって、図示してはいないが、封書用シート２の契約情報記入欄８ａにも同一事項が複写記入される。次いで、図４に示すように、前記記入例表示シート４のミシン目２２，２３を控え用シート３の折り部７側から、破断しながら捲り上げて、折り部２０で折り返し、裏面側の預金口座情報記入例表示２４ｂを表出するとともに、控え用シート３の預金口座情報記入欄９ｂを露出し、この預金口座情報記入欄９ｂに前記預金口座例表示２４ｂを参照しながら記入する。この記入によって、図示してはいないが、封書用シート２の預金口座情報記入欄８ｂにも同一事項が複写記入される。
【００１４】
続いて、記入例表示シート４を控え用シート３から剥離し、控え用シート３と封書用シート２を各折り部６，７で二つ折りして、封緘用粘着剤１０及び粘着剤１４により封着し、申込封書２５を形成する。この申込封書２５は、通常の封書と同様に投函可能である。この申込封書２５を受領した届け先である電信電話会社では、開封用ミシン目５及び切り用ミシン目１２を破断して開封すると、控え用シート３と封書用シート２を分離した状態で、記入事項を確認することができる。そして、記入事項確認後、前記控え用シート３を自社の控えとして保管する一方、前記封書用シート２を振替申込先の銀行に送付するものである。
【００１５】
なお、本発明は、上述の実施形態に限定されるものではなく、例えば、控え用シート３は、必ずしも設ける必要はない。この場合には、記入例表示シート４の裏面に設けた剥離剤２１を、封書用シート２の封緘用粘着剤１０に対接して、前記記入例表示シート４を封書用シート２に直接、剥離可能に貼着すればよい。また、控え用シート３を記入後に分離して、申込者の控えとして使用することもできる。
【００１６】
【発明の効果】
以上のように、本発明の請求項１に記載の申込封書用シートによれば、常に記入面と同一面側に並列状態で位置する記入例表示シートに表示された記入例を見ながら記入できるので、正確、かつ容易に記入作業を行うことができるという効果を奏する。
【００１７】
また、本発明の請求項２に記載の申込封書シートによれば、上述した効果に加えて、控え用シートに記入すれば、封書用シートに複写記入することができるので簡便であるとともに、別途控えを作成する必要がなく便利であるという効果を奏する。
【図面の簡単な説明】
【図１】申込封書用シートを示す平面図。
【図２】図１のＡ−Ａ線断面図。
【図３】申込封書用シートの分解斜視図。
【図４】記入例表示シートを捲って折り返した状態を示す平面図。
【図５】申込封書の平面図
【符号の説明】
１      申込封書用シート
２      封書用シート
３      控え用シート
４      記入例表示シート
５      開封用ミシン目
６，７，２０      折り部
８ａ，９ａ      契約情報記入欄
８ｂ，９ｂ      預金口座情報記入欄
１０      封緘用粘着剤
１１      宛名情報
１２      切り用ミシン目
１４      粘着剤
１８      マイクロカプセル層
１９      クレー層
２１      剥離剤
２２，２３      ミシン目
２４ａ      契約情報記入例表示
２４ｂ      預金口座情報記入例表示
２５      申込封書
【図１】
0003629013.tif 000002
【図２】
0003629013.tif 000003
【図３】
0003629013.tif 000004
【図４】
0003629013.tif 000005
【図５】
0003629013.tif 000006